(57)【要約】【課題】狭い空間でもディスプレイ全体に対して操作することができ、また、両手で保持したまま、ディスプレイ全体に対して操作することが可能な携帯情報端末を提供することを目的とする。【解決手段】タブレット端末１は、ディスプレイモジュールを有する本体部３と、外部からの接触を検知する検知面４Ａを有するタッチセンサ部４とを備え、タッチセンサ部４は、検知面４Ａに対するユーザーの操作を検出して本体部３への入力を行い、タッチセンサ部４は、本体部３の端部において一端部を中心に回動可能に接続され、検知面４Ａがディスプレイモジュールの表示面６Ａとは反対方向を向く位置状態から回動可能である。【選択図】図５
2017157006.tif 000002
【特許請求の範囲】
【請求項１】
ディスプレイ部を有する本体部と、
外部からの接触を検知する検知面を有するタッチセンサ部と、
を備え、
前記タッチセンサ部は、前記検知面に対するユーザーの操作を検出して前記本体部への入力を行い、
前記タッチセンサ部は、前記本体部の端部において一端部を中心に回動可能に接続され、前記検知面が前記ディスプレイ部の表示面とは反対方向を向く位置状態から回動可能である携帯情報端末。
【請求項２】
前記本体部の裏面には、前記タッチセンサ部が収容される凹状の収容部が形成されている請求項１に記載の携帯情報端末。
【請求項３】
ディスプレイ部を有する本体部と、
外部からの接触を検知する検知面を有し、前記本体部の面内方向に対して平行に前記本体部に対して出入可能であるタッチセンサ部と、
を備え、
前記タッチセンサ部は、前記検知面に対するユーザーの操作を検出して前記本体部への入力を行い、
前記検知面は、一軸を中心にして回動可能であり、前記検知面が前記ディスプレイ部の表示面とは反対方向を向く位置状態から、前記検知面が前記表示面と同一方向を向く位置状態へと変わる携帯情報端末。
【請求項４】
前記タッチセンサ部は、前記本体部の端面から出入し、前記本体部の内部には、前記タッチセンサ部が収容される収容部が形成されている請求項３に記載の携帯情報端末。
【請求項５】
前記タッチセンサ部は、前記検知面上において、前記表示面の座標位置に対応した位置を検出する請求項１から４のいずれか１項に記載の携帯情報端末。
【請求項６】
前記タッチセンサ部の回転を検出する回転検出部と、
検出された前記タッチセンサ部の回転に基づいて、前記検知面と前記表示面の対応関係を変更する制御部と、
を更に備える請求項１から５のいずれか１項に記載の携帯情報端末。
【請求項７】
前記本体部と前記タッチセンサ部とは、配線によって電気的に接続されている請求項１から６のいずれか１項に記載の携帯情報端末。
【発明の詳細な説明】
【技術分野】
【０００１】
本発明は、携帯情報端末に関するものである。
【背景技術】
【０００２】
タブレット端末（タブレットコンピュータ）は、ＣＰＵやメモリ等の回路基板が内蔵された筐体にタッチパネルが設けられて、ユーザーが画面上を触れることで端末への入力が可能である。タブレット端末は、例えば５インチから１０インチ程度のサイズを有する。
【０００３】
下記の特許文献１では、スマートフォンやタブレット端末などの携帯情報端末を片手で保持しながら、保持している手でその端末を操作する「片手保持操作」を容易に行うことを目的としている。特許文献１では、片手保持操作で指が届かない領域に表示されたターゲット・オブジェクトを、例えば押圧操作によって、手に近い位置まで移動させることで、タッチ・スクリーンに対する片手保持操作を容易にすることが記載されている。
【先行技術文献】
【特許文献】
【０００４】
【特許文献１】特開２０１５−５１７３号公報
【発明の概要】
【発明が解決しようとする課題】
【０００５】
ユーザーがタブレット端末を片手で保持しながら、もう片方の手で入力操作するとき、ユーザーは、ディスプレイの全範囲に対して指を動かすため、指の動作範囲に合わせて、腕も同時に左右方向又は上下方向に動かすことになる。この入力操作時に、ユーザーの周りに広い空間があれば支障がないが、航空機や列車等の座席に座って隣に人がいる状況や、工場や店舗などの狭い空間で入力作業しなければならない状況などでは、ユーザーは、脇を閉じた状態になり、腕を自由に動かすことができない。そのため、指をディスプレイの全範囲に対して動かしにくく、ディスプレイ上でタッチしにくい範囲が生じる場合がある。
【０００６】
また、タブレット端末を片手で保持するとき、特に１０インチ程度の比較的大きい端末では、ユーザーは、重量が重く感じられるという問題がある。両手でタブレット端末を保持すれば、重量感を低減できるが、ディスプレイの中央付近をタッチできない場合もあり、中央付近の入力操作が必要になったとき、両手による保持を継続できない。
【０００７】
本発明は、このような事情に鑑みてなされたものであって、狭い空間でもディスプレイ全体に対して操作することができ、また、両手で保持したまま、ディスプレイ全体に対して操作することが可能な携帯情報端末を提供することを目的とする。
【課題を解決するための手段】
【０００８】
本発明の第１態様に係る携帯情報端末は、ディスプレイ部を有する本体部と、外部からの接触を検知する検知面を有するタッチセンサ部とを備え、前記タッチセンサ部は、前記検知面に対するユーザーの操作を検出して前記本体部への入力を行い、前記タッチセンサ部は、前記本体部の端部において一端部を中心に回動可能に接続され、前記検知面が前記ディスプレイ部の表示面とは反対方向を向く位置状態から回動可能である。
【０００９】
本発明の第２態様に係る携帯情報端末は、ディスプレイ部を有する本体部と、外部からの接触を検知する検知面を有し、前記本体部の面内方向に対して平行に前記本体部に対して出入可能であるタッチセンサ部とを備え、前記タッチセンサ部は、前記検知面に対するユーザーの操作を検出して前記本体部への入力を行い、前記検知面は、一軸を中心にして回動可能であり、前記検知面が前記ディスプレイ部の表示面とは反対方向を向く位置状態から、前記検知面が前記表示面と同一方向を向く位置状態へと変わる。
【発明の効果】
【００１０】
本発明によれば、狭い空間でもディスプレイ全体に対して操作することができ、また、両手で保持したまま、ディスプレイ全体に対して操作することができる。
【図面の簡単な説明】
【００１１】
【図１】本発明の第１実施形態に係るタブレット端末を示す斜視図であり、正面側を示している。
【図２】本発明の第１実施形態に係るタブレット端末を示す斜視図であり、背面側を示している。
【図３】本発明の第１実施形態に係るタブレット端末を示す斜視図であり、背面パネルが取り外された状態の背面側を示している。
【図４】本発明の第１実施形態に係るタブレット端末のフレキシブルプリント配線を示す斜視図である。
【図５】本発明の第１実施形態に係るタブレット端末を示す斜視図であり、正面側を示している。
【図６】本発明の第１実施形態に係るタブレット端末を示す斜視図であり、背面パネルが取り外された状態の背面側を示している。
【図７】本発明の第１実施形態に係るタブレット端末のフレキシブルプリント配線を示す斜視図である。
【図８】本発明の第２実施形態に係るタブレット端末を示す斜視図であり、正面側を示している。
【図９】本発明の第２実施形態に係るタブレット端末を示す斜視図であり、背面パネルが取り外された状態の背面側を示している。
【図１０】本発明の第２実施形態に係るタブレット端末のフレキシブルプリント配線を示す斜視図である。
【図１１】本発明の第２実施形態に係るタブレット端末を示す斜視図であり、正面側を示している。
【図１２】本発明の第２実施形態に係るタブレット端末を示す斜視図であり、背面パネルが取り外された状態の背面側を示している。
【図１３】本発明の第２実施形態に係るタブレット端末のフレキシブルプリント配線を示す斜視図である。
【図１４】本発明の第２実施形態に係るタブレット端末を示す斜視図であり、正面側を示している。
【図１５】本発明の第２実施形態に係るタブレット端末を示す斜視図であり、背面パネルが取り外された状態の背面側を示している。
【図１６】本発明の第２実施形態に係るタブレット端末のフレキシブルプリント配線を示す斜視図である。
【図１７】本発明の第２実施形態に係るタブレット端末を示す斜視図であり、背面パネルが取り外された状態の背面側を示している。
【図１８】本発明の第２実施形態に係るタブレット端末のフレキシブルプリント配線を示す斜視図である。
【発明を実施するための形態】
【００１２】
［第１実施形態］
以下、本発明の第１実施形態に係るタブレット端末１について、図１から図７を用いて説明する。
タブレット端末１は、携帯情報端末の一例であり、図５及び図６に示すように、ディスプレイモジュール６を有する本体部３と、タッチセンサ部４とが、それぞれ別の筐体であり、別体で設けられる。タッチセンサ部４は、有線又は無線によって本体部３と接続され、タッチセンサ部４で入力された信号が本体部３へ送られる。その結果、タッチセンサ部４におけるユーザーの操作に基づいて、本体部３に対し表示面６Ａ上における位置の指示が入力される。
【００１３】
タブレット端末１は、本体部３とタッチセンサ部４とがヒンジ５によって接続された構成を有する。タブレット端末１は、ヒンジ５によって、タッチセンサ部４が、本体部３に対して相対的に回動する。
【００１４】
ヒンジ５は、本体部３の長辺のうちの１辺（例えば、タブレット端末１の使用時における本体部３の下端部）と、タッチセンサ部４の長辺のうちの１辺（例えば、タブレット端末１の使用時におけるタッチセンサ部４の上端部）とに連結される。ヒンジ５は、ヒンジ５の回動軸周りに、本体部３とタッチセンサ部４を相対的に回動させる。タッチセンサ部４が本体部３に対して回動することによって、図１から図３に示すように、タッチセンサ部４が本体部３の裏面側に位置したり、図５及び図６に示すように、本体部３の面内とほぼ同一面に位置したりする。
【００１５】
本体部３には、内部にＣＰＵ及びメモリ等を搭載した回路基板や、バッテリー等の電源部などが収容される。本体部３内の回路基板と、タッチセンサ部４の回路基板は、フレキシブルプリント配線（ＦＰＣ）８によって接続されている。本体部３は、上述したＣＰＵ等によって実現可能な制御部９を有する。
【００１６】
本体部３に設けられるディスプレイモジュール６は、例えば、液晶ディスプレイを備えて、液晶ディスプレイによって画像を表示する。なお、画像を表示するディスプレイモジュールは、液晶ディスプレイを備える場合に限定されず、有機ＥＬディスプレイ等でもよい。ディスプレイモジュール６は、タッチパネルを備え、表示面６Ａ上で触れられた指等の外部からの接触を検出して、入力を行うことができる。ディスプレイモジュール６は、例えば１０インチ程度の表示面６Ａを有する。
【００１７】
タッチセンサ部４は、例えばパネル状部材であり、本体部３よりも面積が小さく、本体部３に対する設置位置が固定されている。タッチセンサ部４は、例えば、タブレット端末１の使用時における本体部３の下端部の右寄りに設置される。なお、タッチセンサ部４の設置位置は、この例に限定されず、本体部３の下端部の中央又は左寄りに設けられてもよいし、本体部３の右端部又は左端部に設けられてもよい。
【００１８】
タッチセンサ部４のサイズは、片方の手でタッチセンサ部４の検知面４Ａを覆うことができるようなサイズであることが望ましい。これにより、片方の手をほとんど動かさないまま、片方の手の指によって、タッチセンサ部４の検知面４Ａの任意の位置に触れることができる。
【００１９】
なお、タッチセンサ部４は、本体部３に対する設置位置が固定されている場合に限られず、本体部３の端部に沿ってスライド可能な構成を有してもよい。
【００２０】
タッチセンサ部４は、タッチセンサ部４の検知面４Ａに対するユーザーの操作を検出して本体部３への入力を行う。タッチセンサ部４は、静電容量方式などのタッチパネルを有し、タッチセンサ部４では、検知面４Ａの任意の位置において接触が検出されることで、接触位置に対応する入力信号が生成される。タッチセンサ部４は、生成した入力信号を制御部９へ送信する。
【００２１】
タッチセンサ部４において、外部からの接触を検知する検知面４Ａは、片面のみに設けられる。検知面４Ａとは反対側の面は、接触が検知不可能なタッチセンサ部４のケース４Ｂとなっている。
【００２２】
本体部３の裏面には、タッチセンサ部４が収容される凹状の収容部１０が形成されている。収容部１０は、タッチセンサ部４を収容できるサイズで形成されている。タッチセンサ部４が本体部３の裏面側に位置しているとき、収容部１０にタッチセンサ部４を収容できる。そのため、本体部３の裏面を机などの面に対向して載置したとき、タブレット端末１を安定して置くことができる。
【００２３】
収容部１０は、本体部３の裏面において切り欠かれた形状を有し、タッチセンサ部４が収容部１０に収容されているときも、タッチセンサ部４は本体部３から露出している。
【００２４】
ユーザーは、タブレット端末１の使用時、本体部３のディスプレイモジュール６の表示面６Ａを見ながら入力を行う。すなわち、ユーザーは、本体部３のディスプレイモジュール６の正面に位置して操作を行う。図１から図３に示すように、タッチセンサ部４が本体部３の裏面側に位置しているとき、検知面４Ａは、表示面６Ａとは反対方向を向く位置状態にある。このとき、ユーザーは、タブレット端末１を両手で保持した状態で、右手の指で検知面４Ａに触れることができる。したがって、ユーザーは、タブレット端末１を両手で保持したまま、タッチセンサ部４に対する入力を行うことができる。
【００２５】
図５及び図６に示すように、タッチセンサ部４の検知面４Ａが本体部３の裏面から離れて位置しているとき、検知面４Ａは表示面６Ａと同一方向、すなわちユーザー側を向く位置状態にある。なお、ここでの「同一方向」とは、検知面４Ａに対する垂直方向と、表示面６Ａに対する垂直方向とが平行である場合に限定されず、検知面４Ａと表示面６Ａとが、ユーザー側を向いていることをいう。
【００２６】
これにより、本体部３よりも面積が小さいタッチセンサ部４の検知面４Ａに対して操作を行えば、ユーザーは、腕をほとんど動かさずに本体部３への入力を行うことができる。また、検知面４Ａが、表示面６Ａと同一方向を向いていることから、ユーザーは入力時に操作しやすい。
【００２７】
タッチセンサ部４は、検知面４Ａ上において、表示面６Ａの座標位置に対応した位置を検出する。すなわち、検知面４Ａの任意の点と、表示面６Ａの任意の点とは、１対１で対応している。例えば、検知面４Ａの右端中央付近が、ユーザーによって触れられたとき、表示面６Ａにおける右端中央付近が指示されたという動作を検出する。そして、ユーザーが検知面４Ａの右側の任意の点ａ１から左側の任意の点ａ２までなぞったとき、表示面６Ａにおいて右側の任意の点ｂ１から左側の任意の点ｂ２へ連続して指示されたという動作を検出する。このとき、検知面４Ａの点ａ１の座標位置と、表示面６Ａの点ｂ１の座標位置が対応しており、検知面４Ａの点ａ２の座標位置と、表示面６Ａの点ｂ２の座標位置が対応している。
【００２８】
以上より、検知面４Ａにおいて外部からの接触があったとき、接触が検知された位置と表示面６Ａの任意の座標位置とが対応しているため、ユーザーは、タッチセンサ部４の検知面４Ａ上で、表示面６Ａに表示されたカーソル（ポインタ）などを動かす動作を行わないで、表示面６Ａ上で操作したい位置を直ぐに指し示すことができる。
【００２９】
なお、タッチセンサ部４の検知面４Ａと、ディスプレイモジュール６の表示面６Ａの関係は、上述した例に限定されない。検知面４Ａは、タッチパッドのように、絶対座標まで特定せず、外部からの接触と、相対的な位置関係のみを検知できるものでもよい。
【００３０】
図１から図３に示すように、タッチセンサ部４が本体部３の裏面側に位置して、検知面４Ａが表示面６Ａとは反対方向を向いている場合の検知面４Ａの上下左右は、ユーザーが表示面６Ａを向いている状態でのユーザーの上下左右に対応する。また、図５及び図６に示すように、タッチセンサ部４の検知面４Ａが本体部３の裏面から離れて、表示面６Ａと同一方向を向いている場合の検知面４Ａの上下左右も、ユーザーが表示面６Ａを向いている状態でのユーザーの上下左右に対応する。
【００３１】
したがって、タッチセンサ部４を軸周りに回動させることで、検知面４Ａの上下関係が反転する。タッチセンサ部４には、タッチセンサ部４の回転を検出するジャイロセンサ７が設けられる。なお、ジャイロセンサ７は、回転検出部の一例であり、タッチセンサ部４の回転を検出できれば、他のセンサでもよい。
【００３２】
制御部９は、ジャイロセンサ７で検出されたタッチセンサ部４の回転に基づいて、検知面４Ａと表示面６Ａの対応関係を変更する。
【００３３】
これにより、タッチセンサ部４が回転したとき、ジャイロセンサ７によってタッチセンサ部４の回転が検出され、制御部９は、タッチセンサ部４の回転に基づいて、検知面４Ａと表示面６Ａの対応関係を変更できる。その結果、タッチセンサ部４の検知面４Ａがディスプレイモジュール６の表示面６Ａとは反対方向を向いているときと、検知面４Ａが表示面６Ａと同一方向を向いているときの上下方向が入れ替わり、ユーザーの操作性に支障が生じないようにすることができる。
【００３４】
また、制御部９は、ジャイロセンサ７を用いずに、ヒンジ５の角度を検出し、その角度と連動させて検知面４Ａと表示面６Ａの上下の対応関係を変更してもよい。
【００３５】
ここで、検知面４Ａが表示面６Ａとは反対方向を向いている状態（図１〜図３）を０度位置とみなし、表示面６Ａの表示面が同一方向を向いた位置状態（図５、図６）を１８０度位置とみなす。但し、これらの角度位置は、角度数字の示す角度から多少ずれることはある。
【００３６】
そして、制御部９は、検出された検知面４Ａの向き、又は、検出されたヒンジ５の角度に基づいて、検知面４Ａと表示面６Ａの上下の対応関係を、例えば、０度〜９０度位置と９０度〜１８０度位置とで入れ替える。なお、９０度付近の任意の角度範囲位置では、上下の対応関係が頻繁に入れ替わらないように、例えばヒステリシスを持たせて制御してもよい。また、上下の対応関係を入れ替える角度位置は、上述した９０度に限定されずユーザシナリオを考慮し適宜設定してもよい。
【００３７】
タブレット端末１の構造（ヒンジ５の構造を含む。）は、０度位置から１８０度位置まで回転可能な構造でもよいし、０度位置から１８０度位置を経由した後、検知面４Ａと表示面６Ａとが対面する３６０度位置まで回転可能な構造としてもよい。
【００３８】
フレキシブルプリント配線８は、本体部３側の配線部１２Ａが、収容部１０の外側で、収容部１０の上下方向の端部に沿って設けられ、タッチセンサ部４側の配線部１２Ｂが、タッチセンサ部４の内部で、タッチセンサ部４の上下方向の端部に沿って設けられる。
【００３９】
図４は、図１から図３に示すように、タッチセンサ部４が本体部３の裏面側に位置して、検知面４Ａが表示面６Ａとは反対方向を向いている場合のフレキシブルプリント配線８の状態を示す。図７は、図５及び図６に示すように、タッチセンサ部４の検知面４Ａが本体部３の裏面から離れて、表示面６Ａと同一方向を向いている場合のフレキシブルプリント配線８の状態を示す。
【００４０】
フレキシブルプリント配線８は、一端部８Ａが本体部３の回路基板に接続され、他端部８Ｂがタッチセンサ部４の回路基板と接続される。フレキシブルプリント配線８は、図４及び図７に示すように、ヒンジ５付近の回動部分に設置される軸部１１を有し、本体部３側の配線部１２Ａとタッチセンサ部４側の配線部１２Ｂは、軸部１１を介して接続される。タッチセンサ部４側の配線部１２Ｂは、軸部１１を中心にして、本体部３側の配線部１２Ａに対して相対的に回動する。
【００４１】
［第２実施形態］
次に、本発明の第２実施形態に係るタブレット端末２について、図８から図１８を用いて説明する。
タブレット端末２は、携帯情報端末の一例であり、図１１及び図１２に示すように、ディスプレイモジュール１６を有する本体部１３と、タッチセンサ部１４とが、それぞれ別の筐体であり、別体で設けられる。タッチセンサ部１４は、有線又は無線によって本体部１３と接続され、タッチセンサ部１４で入力された信号が本体部１３へ送られる。その結果、タッチセンサ部１４におけるユーザーの操作に基づいて、本体部１３に対し表示面１６Ａ上における位置の指示が入力される。
【００４２】
タブレット端末２は、本体部１３とタッチセンサ部１４とが、スライド部（図示せず。）によって接続された構成を有する。タブレット端末２は、スライド部によって、タッチセンサ部１４が、本体部１３に対して出入する。スライド部は、例えば本体部１３に形成されたスライドレールと、タッチセンサ部１４の支持部２５に設けられ、スライドレールに係合する係合部などから構成される。なお、スライド部の構成は、通常用いられる一般的な構造を適用でき、上述した例に限定されない。
【００４３】
本体部１３には、内部にＣＰＵ及びメモリ等を搭載した回路基板や、バッテリー等の電源部などが収容される。本体部１３内の回路基板と、タッチセンサ部１４の回路基板は、フレキシブルプリント配線（ＦＰＣ）１８によって接続されている。本体部１３は、上述したＣＰＵ等によって実現可能な制御部１９を有する。
【００４４】
本体部１３に設けられるディスプレイモジュール１６は、例えば、液晶ディスプレイを備えて、液晶ディスプレイによって画像を表示する。なお、画像を表示するディスプレイモジュールは、液晶ディスプレイを備える場合に限定されず、有機ＥＬディスプレイ等でもよい。ディスプレイモジュール１６は、タッチパネルを備え、表示面１６Ａ上で触れられた指等の外部からの接触を検出して、入力を行うことができる。ディスプレイモジュール１６は、例えば１０インチ程度の表示面１６Ａを有する。
【００４５】
タッチセンサ部１４は、例えば支持部２５と、検知パネル部２６と、軸部２７などからなる。
【００４６】
支持部２５は、上述したとおり、本体部３に対してスライド可能な構成を有しつつ、軸部２７を介して検知パネル部２６を支持する。支持部２５は、例えば平面視したときコ字形状を有する部材であり、横枠２５Ａと、縦枠２５Ｂ，２５Ｃを有する。縦枠２５Ｂ，２５Ｃは、それぞれの上端部において、横枠２５Ａの両端部にそれぞれ接続されている。縦枠２５Ｂ，２５Ｃの上下方向中間部において、軸部２７が設けられる。
【００４７】
検知パネル部２６は、パネル状部材であって、支持部２５に囲まれるように、支持部２５に設置される。
【００４８】
軸部２７は、支持部２５と検知パネル部２６とに設置される。軸部２７は、軸部２７の回動軸周りに、支持部２５と検知パネル部２６を相対的に回動させる。検知パネル部２６が支持部２５に対して回動することによって、検知パネル部２６の検知面２６Ａの向きが正面側又は裏面側に変更される。
【００４９】
タッチセンサ部１４は、本体部１３よりも面積が小さく、本体部１３に対する設置位置が固定されている。タッチセンサ部１４は、例えば、タブレット端末２の使用時における本体部１３の下端部の右寄りに設置される。なお、タッチセンサ部１４の設置位置は、この例に限定されず、本体部１３の下端部の中央又は左寄りに設けられてもよいし、本体部１３の右端部又は左端部に設けられてもよい。
【００５０】
タッチセンサ部１４のサイズは、片方の手で検知パネル部２６の検知面２６Ａを覆うことができるようなサイズであることが望ましい。これにより、片方の手をほとんど動かさないまま、片方の手の指によって、検知パネル部２６の検知面２６Ａの任意の位置に触れることができる。
【００５１】
なお、タッチセンサ部１４は、本体部１３に対する設置位置が固定されている場合に限られず、本体部１３の端部に沿ってスライド可能な構成を有してもよい。
【００５２】
タッチセンサ部１４は、検知パネル部２６の検知面２６Ａに対するユーザーの操作を検出して本体部１３への入力を行う。タッチセンサ部１４は、静電容量方式などのタッチパネルを有し、タッチセンサ部１４では、検知面２６Ａの任意の位置において接触が検出されることで、接触位置に対応する入力信号が生成される。タッチセンサ部１４は、生成した入力信号を制御部１９へ送信する。
【００５３】
タッチセンサ部１４の検知パネル部２６において、外部からの接触を検知する検知面２６Ａは、片面のみに設けられる。検知面２６Ａとは反対側の面は、接触が検知不可能な検知パネル部２６のケース２６Ｂとなっている。
【００５４】
本体部１３の裏面には、タッチセンサ部１４が収容される凹状の収容部２０が形成されている。収容部２０は、タッチセンサ部１４を収容できるサイズで形成されている。タッチセンサ部１４は、本体部１３の面内方向に対して平行に移動可能であり、収容部２０に収容されたり、収容部２０から外側に引き出されたりする。タッチセンサ部１４は、本体部１３の端面から出入される。また、収容部２０が設けられていることによって、本体部１３の裏面を机などの面に対向して載置したとき、タブレット端末２を安定して置くことができる。
【００５５】
収容部２０は、本体部１３の裏面において切り欠かれた形状を有し、タッチセンサ部１４が収容部２０に収容されている場合も、タッチセンサ部１４は本体部１３から露出している。
【００５６】
ユーザーは、タブレット端末２の使用時、本体部１３のディスプレイモジュール１６の表示面１６Ａを見ながら入力を行う。すなわち、ユーザーは、本体部１３のディスプレイモジュール１６の正面に位置して操作を行う。
【００５７】
図８及び図９に示すように、タッチセンサ部１４が本体部１３の収容部２０に収容されており、かつ、検知パネル部２６のケース２６Ｂが、本体部１３の裏面側から露出しているとき、検知面２６Ａは、タブレット端末２の内部側を向く位置状態にある。このとき、ユーザーは、検知面２６Ａを触れることができない。すなわち、検知面２６Ａに対する誤操作を防ぎたいとき、図８及び図９に示すように、検知パネル部２６のケース２６Ｂを、本体部１３の裏面側から露出させるようにして、タッチセンサ部１４を本体部１３の収容部２０に収容する。
【００５８】
図１１及び図１２に示すように、タッチセンサ部１４が本体部１３の収容部２０から引き出されているとき、検知パネル部２６の検知面２６Ａを、表示面１６Ａと同一方向、すなわちユーザー側を向けることができる。なお、ここでの「同一方向」とは、検知面２６Ａに対する垂直方向と、表示面１６Ａに対する垂直方向とが平行である場合に限定されず、検知面２６Ａと表示面１６Ａとが、ユーザー側を向いていることをいう。
【００５９】
これにより、本体部１３よりも面積が小さいタッチセンサ部１４に対して操作を行えば、ユーザーは、腕をほとんど動かさずに本体部１３への入力を行うことができる。また、検知面２６Ａが、表示面１６Ａと同一方向を向いていることから、ユーザーは入力時に操作しやすい。
【００６０】
図１４及び図１５に示すように、タッチセンサ部１４が本体部１３の収容部２０から引き出された状態で、軸部２７を中心にして検知パネル部２６を回動させて、検知パネル部２６の検知面２６Ａの向きを反転することできる。これにより、検知面２６Ａは、表示面１６Ａとは反対方向を向く位置状態にある。そして、検知面２６Ａの向きを維持したまま、図１７に示すように、タッチセンサ部１４を本体部１３の収容部２０に収容できる。
【００６１】
図１７に示すように、タッチセンサ部１４が本体部１３に収容されており、かつ、検知パネル部２６の検知面２６Ａが、本体部１３の裏面側から露出しているとき、検知面２６Ａは、表示面１６Ａとは反対方向を向く位置状態にある。このとき、ユーザーは、タブレット端末２を両手で保持した状態で、右手の指で検知面２６Ａに触れることができる。したがって、ユーザーは、タブレット端末２を両手で保持したまま、タッチセンサ部１４に対する入力を行うことができる。
【００６２】
タッチセンサ部１４は、検知面２６Ａ上において、表示面１６Ａの座標位置に対応した位置を検出する。すなわち、検知面２６Ａの任意の点と、表示面１６Ａの任意の点とは、１対１で対応している。例えば、検知面２６Ａの右端中央付近が、ユーザーによって触れられたとき、表示面１６Ａにおける右端中央付近が指示されたという動作を検出する。そして、ユーザーが検知面２６Ａの右側の任意の点ａ１から左側の任意の点ａ２までなぞったとき、表示面１６Ａにおいて右側の任意の点ｂ１から左側の任意の点ｂ２へ連続して指示されたという動作を検出する。このとき、検知面２６Ａの点ａ１の座標位置と、表示面１６Ａの点ｂ１の座標位置が対応しており、検知面２６Ａの点ａ２の座標位置と、表示面１６Ａの点ｂ２の座標位置が対応している。
【００６３】
以上より、検知面２６Ａにおいて外部からの接触があったとき、接触を検知した位置と表示面１６Ａの任意の座標位置とが対応しているため、ユーザーは、タッチセンサ部１４の検知面２６Ａ上で、表示面１６Ａに表示されたカーソル（ポインタ）などを動かす動作を行わないで、表示面１６Ａ上で操作したい位置を直ぐに指し示すことができる。
【００６４】
なお、タッチセンサ部１４の検知面２６Ａと、ディスプレイモジュール１６の表示面１６Ａの関係は、上述した例に限定されない。検知面２６Ａは、タッチパッドのように、絶対座標まで特定せず、外部からの接触と、相対的な位置関係のみを検知できるものでもよい。
【００６５】
図１７に示すように、タッチセンサ部１４が本体部１３に収容されて、検知面２６Ａが表示面１６Ａとは反対方向を向いている場合の検知面２６Ａの上下左右は、ユーザーが表示面１６Ａを向いている状態でのユーザーの上下左右に対応する。また、図１１及び図１２に示すように、タッチセンサ部１４の検知面２６Ａが本体部１３から引き出されて、表示面１６Ａと同一方向を向いている場合の検知面２６Ａの上下左右も、ユーザーが表示面１６Ａを向いている状態でのユーザーの上下左右に対応する。
【００６６】
したがって、タッチセンサ部１４を軸周りに回動させることで、検知面２６Ａの上下関係が反転する。タッチセンサ部１４には、タッチセンサ部１４の回転を検出するジャイロセンサ１７が設けられる。なお、ジャイロセンサ１７は、回転検出部の一例であり、タッチセンサ部１４の回転を検出できれば、他のセンサでもよい。
【００６７】
制御部１９は、ジャイロセンサ１７で検出されたタッチセンサ部１４の回転に基づいて、検知面２６Ａと表示面１６Ａの対応関係を変更する。
【００６８】
これにより、タッチセンサ部１４が回転したとき、ジャイロセンサ１７によってタッチセンサ部１４の回転が検出され、制御部１９は、タッチセンサ部１４の回転に基づいて、検知面２６Ａと表示面１６Ａの対応関係を変更できる。その結果、タッチセンサ部１４の検知面２６Ａがディスプレイモジュール１６の表示面１６Ａとは反対方向を向いているときと、検知面２６Ａが表示面１６Ａと同一方向を向いているときの上下方向が入れ替わり、ユーザーの操作性に支障が生じないようにすることができる。
【００６９】
フレキシブルプリント配線１８は、本体部１３側の配線部３０Ａが、収容部２０の外側で、収容部２０の上下方向の端部に沿って設けられる。また、タッチセンサ部１４の支持部２５側の配線部３０Ｂが、支持部２５の内部で、支持部２５の上下方向に沿って設けられ、検知パネル部２６側の配線部３０Ｃが、検知パネル部２６の内部で、検知パネル部２６の上下方向の端部に沿って設けられる。
【００７０】
図１０は、図８及び図９に示すように、タッチセンサ部１４が本体部１３の収容部２０に収容されており、かつ、検知パネル部２６のケース２６Ｂが、本体部１３の裏面側から露出している場合のフレキシブルプリント配線１８の状態を示す。図１３は、図１１及び図１２に示すように、タッチセンサ部１４が本体部１３の収容部２０から引き出されているとき、検知パネル部２６の検知面２６Ａが、表示面１６Ａと同一方向を向いている場合のフレキシブルプリント配線１８の状態を示す。
図１６は、図１４及び図１５に示すように、タッチセンサ部１４が本体部１３の収容部２０から引き出された状態で、検知面２６Ａが、表示面１６Ａとは反対方向を向いている場合のフレキシブルプリント配線１８の状態を示す。図１８は、タッチセンサ部１４が本体部１３に収容されており、かつ、検知パネル部２６の検知面２６Ａが、本体部１３の裏面側から露出している場合のフレキシブルプリント配線１８の状態を示す。
【００７１】
フレキシブルプリント配線１８は、一端部１８Ａが本体部１３の回路基板に接続され、他端部１８Ｂがタッチセンサ部１４の回路基板と接続される。フレキシブルプリント配線１８は、折返し部２８と、軸部２７付近の回動部分に設置される軸部２９を有する。本体部１３側の配線部３０Ａとタッチセンサ部１４の支持部２５側の配線部３０Ｂとは、折返し部２８を介して接続される。また、タッチセンサ部１４の支持部２５側の配線部３０Ｂと検知パネル部２６側の配線部３０Ｃとは、軸部２９を介して接続される。
【００７２】
本体部１３側の配線部３０Ａは、折れ曲がり部分を有して２枚重ね合わされる。折れ曲がり部分は、タッチセンサ部１４の移動に伴って位置が移動し、重ね合わされ量が変化する。配線部３０Ａの本体部３側は、例えば両面テープなどの接着材３１が設けられ、接着材３１によって、配線部３０Ａは、本体部３に固定される。検知パネル部２６側の配線部３０Ｃは、軸部２９を中心にして、支持部２５側の配線部３０Ｂに対して相対的に回動する。
【符号の説明】
【００７３】
１      ：タブレット端末
２      ：タブレット端末
３      ：本体部
４      ：タッチセンサ部
４Ａ    ：検知面
４Ｂ    ：ケース
５      ：ヒンジ
６      ：ディスプレイモジュール
６Ａ    ：表示面
７      ：ジャイロセンサ
８      ：フレキシブルプリント配線
８Ａ    ：一端部
８Ｂ    ：他端部
９      ：制御部
１０    ：収容部
１１    ：軸部
１２Ａ  ：配線部
１２Ｂ  ：配線部
１３    ：本体部
１４    ：タッチセンサ部
１６    ：ディスプレイモジュール
１６Ａ  ：表示面
１７    ：ジャイロセンサ
１８    ：フレキシブルプリント配線
１８Ａ  ：一端部
１８Ｂ  ：他端部
１９    ：制御部
２０    ：収容部
２５    ：支持部
２５Ａ  ：横枠
２５Ｂ  ：縦枠
２５Ｃ  ：縦枠
２６    ：検知パネル部
２６Ａ  ：検知面
２６Ｂ  ：ケース
２７    ：軸部
２８    ：折返し部
２９    ：軸部
３０Ａ  ：配線部
３０Ｂ  ：配線部
３０Ｃ  ：配線部
３１    ：接着材
【図１】
2017157006.tif 000003
【図２】
2017157006.tif 000004
【図３】
2017157006.tif 000005
【図４】
2017157006.tif 000006
【図５】
2017157006.tif 000007
【図６】
2017157006.tif 000008
【図７】
2017157006.tif 000009
【図８】
2017157006.tif 000010
【図９】
2017157006.tif 000011
【図１０】
2017157006.tif 000012
【図１１】
2017157006.tif 000013
【図１２】
2017157006.tif 000014
【図１３】
2017157006.tif 000015
【図１４】
2017157006.tif 000016
【図１５】
2017157006.tif 000017
【図１６】
2017157006.tif 000018
【図１７】
2017157006.tif 000019
【図１８】
2017157006.tif 000020